【事件の表示】
　特願２０００−２２８３０８「情報配信方法」拒絶査定不服審判事件〔平成１３年　４月２０日出願公開、特開２００１−１１１５０５〕について、次のとおり審決する。
【結　論】
　本件審判の請求は、成り立たない。
【理　由】
１　手続の経緯・本願発明　
　本願は、平成１２年７月２８日（パリ条約による優先権主張平成１１年７月３０日、米国）の出願であって、平成２１年１１月２０日付けで拒絶査定がされ（発送日同月２５日）、これに対し、平成２２年３月２４日に拒絶査定不服審判の請求がなされ、同時に手続補正がされたものである。そして、本願の請求項１に係る発明は、平成２２年３月２４日付けの手続補正書の特許請求の範囲の請求項１に記載された事項により特定される以下のとおりのものである（以下、「本願発明」という。）。
　
「情報配信方法であって、
　ディジタル通信方式の複数のビットストリームを用いて、少なくとも部分暗号化されたフォーマットで、情報を受信機に、該少なくとも部分暗号化されたフォーマットの復号を要することなく該情報へのアクセスが第１品質レベルで提供されるように、配信するステップからなり、
　該複数のビットストリームが、該方式におけるキャリア信号の１以上のデジタルサイドバンドにおける複数のサブバンドのそれぞれにおいて送信され、
　該少なくとも部分暗号化されたフォーマットの復号に応じて、該情報へのアクセスが、該第１品質レベルよりも高い他の品質レベルで提供されることを特徴とする情報配信方法。」
　
２　引用刊行物記載の発明　
　原査定の拒絶の理由に引用された、本願の優先日前である１９９８年３月に公開されたR. L. Cupo, M. Sarraf, M. Shariat and M. Zarrabizadeh, An OFDM All Digital In-Band-On-Channel (IBOC) AM and FM Radio Solution Using the PAC Encoder, IEEE Transactions on Broadcasting、１９９８年３月、 第４４巻、 第１号、 ｐ．２２−２６（以下、「引用例１」という。）には、図面とともに、以下の事項が記載されている。（下線は当審付与。訳は当審訳。）
　
（１）　２２ページ左欄３０行−右欄５行
「In this effort, transmission is placed in band, so no new bandwidth allocation is necessary and on channel, i.e., within a broadcasting station's allowed FCC mask, so no new spectrum is required. The AM and FM FCC masks are shown in Figure 1.  In either the AM or FM case, the proposed scheme comprises a hybrid analog/digital and an all digital solution. In the former case, a station transmits its program in both analog and digital format simultaneously within its assigned FCC mask so the audience without digital receivers can also tune in.  However, those with digital receivers enjoy higher audio quality and/or data services.」
（この業績において、送信は、バンド内に(in band)配置されるので、新たな帯域幅割当ては不要で、チャネル上で(on channel)、すなわち、連邦通信委員会（ＦＣＣ）が放送局に許可したマスク内なので、新たなスペクトルは要求されない。連邦通信委員会（ＦＣＣ）のＡＭ及びＦＭ用マスクは、図１に示される。ＡＭ、ＦＭいずれの場合も、提案方式は、ハイブリッド・アナログ／デジタル方式、及び、全デジタル方式のソリューションを含む。前者の場合、放送局は、そのプログラムを、アナログとデジタルのフォーマットで同時に、連邦通信委員会（ＦＣＣ）が規定したマスク内で、送信する。よって、デジタル受信機を保有していない聴衆でも選局できる。一方で、デジタル受信機を保有する聴衆は、より高い音声品質、及び／又は、データ・サービスを享有する。)
　
（２）　２３ページ左欄３１−３８行
「PAC can provide an embedded multi-rate solution in which PAC rate grows by using more channel bits beyond a lower rate PAC to encode more source content which in turn results in a higher audio quality with a higher PAC bit rate. This embedded solution is used in AM so the 48 Kbps PAC bitstream can be divided up into three groups of 16 Kbps streams. Thus if one stream is lost in transmission a lower audio-quality PAC will survive.」
（知覚音声符号器（ＰＡＣ）により、埋め込み式の(embedded)複数レートのソリューションを提供可能で、これにより、より多くのソース・コンテンツの符号化に、低いレートのＰＡＣよりも多くのチャネル・ビットを用いることで、ＰＡＣのレートが増加され、より高いＰＡＣのビットレートの結果として、より高い音声品質が得られる。この
埋め込み式のソリューションがＡＭで用いられる場合、４８ｋビット毎秒のＰＡＣビットストリームを、３つの１６ｋビット毎秒ストリームのグループに分割でき
よって、もし一つのストリームが伝送で失われても、より低い音声品質のＰＡＣは残存
　
（３）　２３ページ右欄５−２４行
「3. Digital AM lBOC
The goal in the all digital AM IBOC system is to deliver digital audio using 48 kbps PAC compression algorithm to the audience, so an FM-like stereo audio quality can be achieved where signal quality is good. However, under adverse conditions, a more robust 16 kbps PAC connection to the audience is maintained, guaranteeing good audio quality as compared to current AM broadcast audio quality. Some of these adverse conditions include strong first adjacent channel interference, nighttime transmission and reception at the edge of a station's coverage area.
In the 540-1660 kHz AM band, carriers are spaced 10 kHz apart. In order to avoid second adjacent channel interferers, transmission is limited to 20 kHz of bandwidth as shown in Figure 2. 
The middle 10 kHz (+/- 5 kHz from center frequency) has 25 dB stronger average power than either of the two 5 kHz sidebands (5 to 10 kHz and -5 to -10 kHz from center frequency) on either side of the middle 10 kHz band. The 20 kHz channel is virtually divided in four segments labeled A, B, C, and D in Figure 2. 」
（３．デジタル振幅変調（ＡＭ）インバンドオンチャネル（ＩＢＯＣ）
　
全デジタル型振幅変調（ＡＭ）インバンドオンチャネル（ＩＢＯＣ）システムの目標は、４８ｋビット毎秒のＰＡＣ圧縮アルゴリズムで、聴衆にデジタル音声を配送することにより、信号品質が良好なところでは、ＦＭ級のステレオ音声品質を達成することであ
悪条件下では、よりロバストな１６ｋビット毎秒のＰＡＣ接続が聴衆に維持されて、現行ＡＭ放送と比べられる良好な音声品質が保証され
　
５４０−１６６０ｋＨｚのＡＭ帯域において、キャリアは１０ｋＨｚ間隔で隔てられ
送信は
２０ｋＨｚの帯域幅に制限され
中央部の１０ｋＨｚ（中心周波数＋／−５ｋＨｚ）は、２つの５ｋＨｚのサイドバンド（中心周波数から５〜１０ｋＨｚと−５〜−１０ｋＨｚ）のどちらよりも２５ｄＢ強い平均電力を有
２０ｋＨｚのチャネルは、
Ａ、Ｂ、Ｃ、Ｄと記された、４つのセグメントに実質的に分割され
　
（４）　２４ページ左欄１−８行
「Each segment shown in Figure 2 carries approximately 16kbps worth of FEC protected audio information. Segment A carries the main 16 kbps PAC encoded and FEC protected audio program while segment B carries the same program with a fixed delay (3 to 5 seconds) at the transmitter. This delayed PAC program section may or may not be FEC protected and serves as the backup in case the main PAC audio information cannot be successfully decoded at the receiver.」
（図２に示す各セグメントは、各々約１６ｋビット毎秒分の前方向誤り訂正（ＦＥＣ）保護された音声情報を運ぶ。
Ａセグメントは、１６ｋＨｚのＰＡＣ符号化され、前方向誤り訂正保護された、現用(main)の音声プログラムを運
Ｂセグメントは、固定（３〜５秒間）遅延された、同じプログラムを運
この遅延されたＰＡＣプログラム部は
現用(main)のＰＡＣ音声情報を受信機が成功裡に復号化できないときの、予備用(backup)として役立つ
　
（５）　２４ページ右欄１−１５行
「Segments C and D each carry 16 kbps worth of FEC protected main PAC audio information for a total of 32 kbps. The combination of these segments with the PAC audio information in segment A would result in a total of 48 kbps worth of FEC protected PAC audio information which in turn the PAC decoder turns into stereo FM-like quality audio.  Note that weaker OFDM subcarriers carry the information in segments C and D so it may not be decodable at weak signal levels or may be wiped out in the presence of first adjacent channel interferers as shown in Figure 5.  In case of only one first adjacent channel interferer which wipes out only one of the C or D segments, it may be possible to decode the other segment and achieve a 32 kbps combined PAC rate which is superior to the 16 kbps PAC rate. This can be a broadcaster option.」
（
Ｃ及びＤセグメントは、各々１６ｋビット毎秒分の前方向誤り訂正（ＦＥＣ）保護された現用(main)の音声情報を運び、合計で３２ｋビット毎秒であ
これらのセグメントとＡセグメントのＰＡＣ音声情報とを組合わせることで、合計４８ｋビット毎秒分の前方向誤り訂正（ＦＥＣ）保護された現用(main)の音声情報が得られ、そして、これをＰＡＣ復号器がステレオＦＭ級品質音声に変換
　
（６）　引用例１の図２（２４ページ左上欄）には、デジタルＡＭ−ＩＢＯＣ方式における周波数マスクと帯域分割が示され、特に、デジタルＡＭ−ＩＢＯＣ方式の、中心周波数（０Ｈｚ）の前後、−１０ｋＨｚ〜１０ｋＨｚの
２０ｋＨｚの帯域幅のうち、中央部の１０ｋＨｚを、Ａセグメント（０〜５ｋＨｚ）とＢセグメント（０ｋＨｚ〜−５ｋＨｚ）とに割り当て、２つの５ｋＨｚのサイドバンドを、Ｃセグメント（−５〜−１０ｋＨｚ）とＤセグメント（５〜１０ｋＨｚ）とに割り当て
　
　これらの引用例１の記載から、引用例１には次の発明（以下、「引用発明」という。）が記載されていると認められる。 
　
「埋め込み式のソリューションがＡＭで用いられる場合、４８ｋビット毎秒のＰＡＣビットストリームを、３つの１６ｋビット毎秒ストリームのグループに分割でき、よって、もし一つのストリームが伝送で失われても、より低い音声品質のＰＡＣは残存し、
　全デジタル型振幅変調（ＡＭ）インバンドオンチャネル（ＩＢＯＣ）システムの目標は、４８ｋビット毎秒のＰＡＣ圧縮アルゴリズムで、聴衆にデジタル音声を配送することにより、信号品質が良好なところでは、ＦＭ級のステレオ音声品質を達成することであって、悪条件下では、よりロバストな１６ｋビット毎秒のＰＡＣ接続が聴衆に維持されて、現行ＡＭ放送と比べられる良好な音声品質が保証され、
　５４０−１６６０ｋＨｚのＡＭ帯域において、キャリアは１０ｋＨｚ間隔で隔てられ、送信は、２０ｋＨｚの帯域幅に制限され、中央部の１０ｋＨｚ（中心周波数＋／−５ｋＨｚ）は、２つの５ｋＨｚのサイドバンド（中心周波数から５〜１０ｋＨｚと−５〜−１０ｋＨｚ）のどちらよりも２５ｄＢ強い平均電力を有し、２０ｋＨｚのチャネルは、Ａ、Ｂ、Ｃ、Ｄと記された、４つのセグメントに実質的に分割され、ここで、２０ｋＨｚ帯域幅のうち、中央部の１０ｋＨｚを、Ａセグメント（０〜５ｋＨｚ）とＢセグメント（０ｋＨｚ〜−５ｋＨｚ）とに割り当て、２つの５ｋＨｚのサイドバンドを、Ｃセグメント（−５〜−１０ｋＨｚ）とＤセグメント（５〜１０ｋＨｚ）とに割り当て、
　Ａセグメントは、１６ｋＨｚのＰＡＣ符号化され、前方向誤り訂正保護された、現用の(main)音声プログラムを運び、
　Ｂセグメントは、固定（３〜５秒間）遅延された、同じプログラムを運び、この遅延されたＰＡＣプログラム部は、現用の(main)ＰＡＣ音声情報を受信機が成功裡に復号化できないときの、予備用(backup)として役立つものであり、
　Ｃ及びＤセグメントは、各々１６ｋビット毎秒分の前方向誤り訂正（ＦＥＣ）保護された現用(main)の音声情報を運び、合計で３２ｋビット毎秒であり、これらのセグメントとＡセグメントのＰＡＣ音声情報とを組合わせることで、合計４８ｋビット毎秒分の前方向誤り訂正（ＦＥＣ）保護された現用(main)の音声情報が得られ、そして、これをＰＡＣ復号器がステレオＦＭ級品質音声に変換する、
　全デジタル型振幅変調（ＡＭ）インバンドオンチャネル（ＩＢＯＣ）による放送方法。」
　
３　対比　
（１）　引用発明の「全デジタル型振幅変調（ＡＭ）インバンドオンチャネル（ＩＢＯＣ）」による放送方法は、「音声
情報
配送
　
（２）　引用発明において「４８ｋビット毎秒のＰＡＣビットストリームを、３つの１６ｋビット毎秒ストリームのグループに分割でき、よって、もし一つのストリームが伝送で失われても、より低い音声品質のＰＡＣは残存」することで、「悪条件下では、よりロバストな１６ｋビット毎秒のＰＡＣ接続が聴衆に維持されて、現行ＡＭ放送と比べられる良好な音声品質が保証され」ること、すなわち、「Ａ、Ｃ、Ｄセグメント」上で３つの１６ｋビット毎秒のビットストリームを送信することで、悪条件下でも、（「Ａセグメント」上の）１つの１６ｋビット毎秒のビットストリームにより、「現行ＡＭ放送と比べられる良好な音声品質」が保証されることは、本願発明の「デジタル通信方式の複数のビットストリームを用いて、
少なくとも部分暗号化されたフォーマットで
該少なくとも部分暗号化されたフォーマットの復号を要することなく
　
（３）　引用発明において、Ｃセグメント（−５〜−１０ｋＨｚ）と、Ｄセグメント（５〜１０ｋＨｚ）上の２つの１６ｋビット毎秒のビットストリームが、「２つの５ｋＨｚの
サイドバンド
における複数のサブバンドのそれぞれ
　
（４）　引用発明において、「４８ｋビット毎秒のＰＡＣビットストリームを、３つの１６ｋビット毎秒ストリームのグループに分割」して配送して、受信側で、Ｃ，ＤセグメントとＡセグメントの音声情報を組合わせることにより、再び合計４８ｋビット毎秒分の音声情報を得ることで、「信号品質が良好なところでは、
ＦＭ級のステレオ音声品質を達成
該少なくとも部分暗号化されたフォーマットの復号に応じて、
　
 　したがって、本願発明と引用発明の一致点、相違点は、以下のとおりである。
　
［一致点］　
「情報配信方法であって、
　ディジタル通信方式の複数のビットストリームを用いて、情報を受信機に、該情報へのアクセスが第１品質レベルで提供されるように、配信するステップからなり、
　該複数のビットストリームが、該方式におけるキャリア信号の１以上のデジタルサイドバンドにおいて送信され、
　該情報へのアクセスが、該第１品質レベルよりも高い他の品質レベルで提供されることを特徴とする情報配信方法。」
 
［相違点１］
　本願発明は、ディジタル通信方式の複数のビットストリームを用いて、「少なくとも部分暗号化されたフォーマットで」、情報を受信機に、「該少なくとも部分暗号化されたフォーマットの復号を要することなく」該情報へのアクセスが第１品質レベルで提供されるように、配信するステップを備え、また、「該少なくとも部分暗号化されたフォーマットの復号に応じて」、該情報へのアクセスが、該第１品質レベルよりも高い他の品質レベルで提供されるのに対して、引用発明は、Ａ〜Ｄの各セグメント上で、各々１６ｋビット毎秒の複数のビットストリームを伝送するものであるが、そのフォーマットが、「少なくとも部分暗号化されたフォーマットで」あって、より低い品質の音声情報（「Ａセグメント」に対応。）については、「該少なくとも部分暗号化されたフォーマットの復号を要することなく」提供される一方、より高い品質の音声情報（「Ｃ、Ｄセグメント」に対応。）については、「該少なくとも部分暗号化されたフォーマットの復号に応じて」提供されることの記載がない点。
　
［相違点２］
　本願発明は、「該複数のビットストリームが、該方式におけるキャリア信号の１以上のデジタルサイドバンドにおける複数のサブバンドのそれぞれにおいて」送信されるのに対して、引用発明は、少なくともＣ、Ｄセグメント上のビットストリームは、「デジタルサイドバンドにおいて」送信されるものの、複数のビットストリームを、デジタルサイドバンドにおける「複数のサブバンドのそれぞれにおいて」送信することは記載がない点。
　
４　当審の判断　
［相違点１について］
　原査定の拒絶の理由に引用された、本願の優先日前である平成１１年７月９日に公開された特開平１１−１８７３８０号公報（以下、「引用例２」という。）には、段落【００５８】に「・・・例えばデータ送信装置１０がこの音楽データを低域周波数領域についての概要データと高域周波数領域についての補完データとに分けてデータ受信装置２０に転送することにより、・・・データ受信装置２０がこの
概要データを再生することにより
音質は十分ではないがダウンロードしている曲のモニタができる
概要データの転送については所謂サンプルデータとして無料とし、補完データの転送に関しては有料とするといったサービスを構築することも容易に行うことができる
所定の課金処理のための手続きを行うことにより上記錠前データに対応する鍵データを取得して
補完データの再生を可能とする構成とすればよい
　これらの引用例２の記載から、概要データと補完データに分割された音楽データにおける補完データ部分のみに「錠前データ」を付加すること、すなわち、より高い品質を得るためのデータのみを部分的に秘匿することで、再生用の「鍵データ」に課金する有料化サービスが公知であったと認められる。
　さらに、一般に、デジタル情報の有料化等のために、デジタル情報を部分的に秘匿することは、周知技術である（＜１＞特開平８−２２８３３２号公報（段落【０００３】の「この場合、画像データに対するスクランブル処理については、
受信契約を行なっていない一般の視聴者に対しても、ある程度番組の画像内容を暗示して視聴意欲をそそり加入を促進するための宣伝材料とするために
いわゆる効果制御を行なうようにしている
それぞれの周波数帯域成分に対して選択的にスクランブル処理を施す
また、音声データを放送する場合にも
一方、料金未払いの非加入者に対しては
音質劣化つまり音質が原音よりは劣化しているが十分聞くのに耐え得るようにするケース
帯域分割された複数の周波数の少なくとも一部にスクランブルをかけるようにしたため、暗号を解読できない受信装置（非契約者）では、音声信号は大略復号できるものの、ノイズ成分を含む不完全な音声信号しか復号できないという効果制御が行なえる
ビットストリームを伝送する場合にも適用可能であり、これにより、例えば、放送されているオーディオ信号を鍵を入手した聴取者のみに高音質再生ができるようにし、
内容を把握できる程度の低い品質の第一の信号成分と、高品質再生のための第二の信号成分とに分割し、上記第二の信号成分のみを暗号化して符号化することにより、暗号化の鍵情報が無くとも第一の信号成分により内容を把握できる程度の低い品質の再生が行え、鍵情報を用いることにより高品質再生が行える
　デジタル情報の有料化等のために、デジタル情報を部分的に秘匿することが、周知技術であることを考慮すれば、より低い品質のための音声情報のビットストリーム（「Ａセグメント」）と、より高い品質のための音声情報のビットストリーム（「Ｃ，Ｄセグメント」）を分割して伝送する引用発明に、より高い品質を得るためのデータのみを部分的に秘匿する引用例２記載の公知技術を適用することにより、「少なくとも部分暗号化されたフォーマットで」、情報を受信機に、「該少なくとも部分暗号化されたフォーマットの復号を要することなく」該情報へのアクセスが第１品質レベルで提供されるように、配信するステップを備え、「該少なくとも部分暗号化されたフォーマットの復号に応じて」、該情報へのアクセスが、該第１品質レベルよりも高い他の品質レベルで提供される、相違点１に係る構成とすることは、当業者が容易に推考し得ることである。
　
［相違点２について］
　引用発明は、アナログ方式による同時放送を行わない「全デジタル方式」のＡＭ−ＩＢＯＣ方式に関するが、一般に、放送方式として、アナログ方式も同時に放送する「ハイブリッド方式」は、周知技術である（引用例１の上記２（１）の「ＡＭ、ＦＭいずれの場合も、提案方式は、ハイブリッド・アナログ／デジタル方式、及び、全デジタル方式のソリューションを含む。」の記載を参照、及び、Deepen Sinha and Carl-Erik W. Sundberg, UNEQUAL ERROR PROTECTION METHODS FOR PERCEPTUAL AUDIO CODERS, IEEE International Conference on Acoustics, Speech, and Signal Processing, 1999 (ICASSP '99), １９９９年６月１４日科学技術振興事業団受入, 第５巻, ｐ．２４２３−２４２６(第２４２５頁の図５の記載、及び、図５の説明「Figure 5: Hybrid in band on channel FM spectrum with two sidebands divided in two classes. Class I is assumed to be less susceptible to interference. The most sensitive source bits are transmitted here.」（当審訳：図５：
２つのサイドバンドが２つのクラスに分割されたハイブリッド方式インバンドオンチャネル（ＩＢＯＣ）ＦＭスペクトラム。
　よって、Ａ〜Ｄの４つのセグメント上で、４つのビットストリームを送信する引用発明を、周知のハイブリッド方式に適用する場合、帯域の中央部をアナログ方式に割り当てると共に、帯域のサイドバンド部を４つのビットストリームに割り当てることで、該複数のビットストリームが、該方式におけるキャリア信号の１以上のデジタルサイドバンドにおける複数のサブバンドのそれぞれにおいて送信される、相違点２に係る構成とすることは、当業者が容易に推考し得ることである。
　
　
　そして、本願発明のように構成したことによる効果も引用発明、引用例２、並びに周知技術から予測できる程度のものである。
　
５　むすび　
　したがって、本願発明は、引用発明、引用例２、並びに周知技術に基づいて、当業者が容易に発明をすることができたものであるから、本願は、特許法第２９条第２項の規定により特許を受けることができない。
　よって、結論のとおり審決する。